(57)【特許請求の範囲】
【請求項１】
間隔を有して立設された支柱に、複数の横線と縦線とを格子状に組合せてなるフェンス本体を沿わせ、該フェンス本体を連結材を介して連結するフェンスの連結構造において、
前記連結材は表面板と裏面板とが対向し、該表面板と裏面板とを折り曲げ自在な折り曲げ部を介して連結してなり、該折り曲げ部は前記表面板と裏面板の一方の側部の上下方向いずれか一方に偏った位置に形成され、
少なくとも前記表面板と裏面板のいずれか一方の前記折り曲げ部が形成される側部と反対側の側部には、対向する板側に向かって縦方向に沿って突出してなる縦片が形成され、少なくとも前記表面板と裏面板のいずれか一方の上部または下部の中央部には、対向する板側に向かって横方向に沿って突出してなる横片が形成され、
前記連結材を、連結される両フェンス本体端部の前記横線と縦線の交差部に配置して、前記表面板と裏面板とをネジ止めにより固定して、前記横線及び縦線を保持することを特徴とするフェンスの連結構造。
【請求項２】
一方のフェンス本体の横線の端部は前記縦片の下方から前記表面板と裏面板間の領域に進入するよう配置され、両フェンス本体端部の縦線は、それぞれ前記横片と折り曲げ部との間及び前記横片と縦片との間において前記表面板と裏面板間の領域に進入するよう配置されることを特徴とする請求項１記載のフェンスの連結構造。
【請求項３】
少なくとも前記表面板と裏面板のいずれか一方の前記折り曲げ部が形成される側部と反対側の側部には、対向する板側に向かって突出してなる第２縦片が形成され、該第２縦片は前記縦片の下方に前記横線を挿通可能な間隔を有して配置されることを特徴とする請求項１または２記載のフェンスの連結構造。
【請求項４】
前記縦片と第２縦片及び横片は前記表面板と裏面板の両方にそれぞれ設けられることを特徴とする請求項３記載のフェンスの連結構造。
【請求項５】
間隔を有して立設された支柱に、縦横に配置した複数の横線と縦線とを格子状に組合せてなるフェンス本体を沿わせ、該フェンス本体を請求項１〜４のいずれか１項に記載のフェンスの連結構造で連結してなることを特徴とするフェンス。
【発明の詳細な説明】
【技術分野】
【０００１】
本発明は、複数の横線及び縦線で形成されたフェンス本体を連結片により連結するフェンスの連結構造及びそれを用いたフェンスに関し、特に一部材からなる連結片を横線と縦線の交差部に配置してフェンス本体を連結するフェンスの連結構造及びフェンスに関する。
【背景技術】
【０００２】
従来、間隔を有して立設された支柱に、縦横に配置した複数の横線と縦線とを格子状に組合せてなるフェンス本体を沿わせ、このフェンス本体を連結材を介して連結して長尺状とするフェンスの連結構造が知られている。連結材は、連結する両フェンス本体の端部に配置される縦線を保持連結するものであり、このような連結材を用いた連結構造としては例えば特許文献１に挙げるようなものがある。しかし、縦線のみを保持する連結構造においては、連結するフェンス本体が上下方向にずれることや、面方向にずれることがあった。そこで、縦線と横線の交差部分に取付可能な連結片でフェンス本体を連結することにより、フェンス本体の横ラインを一直線状とし、上下方向のずれや面方向のずれを防止することができる。このような連結片による連結構造としては、例えば特許文献２に挙げるようなものがある。
【特許文献１】特開２００５−９７８７７号公報
【特許文献２】特開平１０−１２１７９１号公報
【発明の開示】
【発明が解決しようとする課題】
【０００３】
しかし、従来の連結構造における連結片は、フェンス本体の縦線と横線の交差部に配置するために、表面側と裏面側の二部材からなり、これらによって交差部を挟持すると共にネジにより固定することで縦線と横線を保持するようにしていた。このため、取付作業が繁雑になり施工性が悪いという問題があった。
【０００４】
本発明は、前記課題を解決すべくなされたものであり、簡易な取付作業でフェンス本体の横ラインを一直線状とし、上下方向のずれや面方向のずれを防止することのできるフェンスの連結構造及びその連結構造を有したフェンスを提供することを目的とする。
【課題を解決するための手段】
【０００５】
上記課題を解決するため、本発明にかかるフェンスの連結構造は、間隔を有して立設された支柱に、複数の横線と縦線とを格子状に組合せてなるフェンス本体を沿わせ、該フェンス本体を連結材を介して連結するフェンスの連結構造において、
前記連結材は表面板と裏面板とが対向し、該表面板と裏面板とを折り曲げ自在な折り曲げ部を介して連結してなり、該折り曲げ部は前記表面板と裏面板の一方の側部の上下方向いずれか一方に偏った位置に形成され、
少なくとも前記表面板と裏面板のいずれか一方の前記折り曲げ部が形成される側部と反対側の側部には、対向する板側に向かって縦方向に沿って突出してなる縦片が形成され、少なくとも前記表面板と裏面板のいずれか一方の上部または下部の中央部には、対向する板側に向かって横方向に沿って突出してなる横片が形成され、
前記連結材を、連結される両フェンス本体端部の前記横線と縦線の交差部に配置して、前記表面板と裏面板とをネジ止めにより固定して、前記横線及び縦線を保持することを特徴として構成されている。
【０００６】
また、本発明にかかるフェンスの連結構造は、一方のフェンス本体の横線の端部は前記縦片の下方から前記表面板と裏面板間の領域に進入するよう配置され、両フェンス本体端部の縦線は、それぞれ前記横片と折り曲げ部との間及び前記横片と縦片との間において前記表面板と裏面板間の領域に進入するよう配置されることを特徴として構成されている。
【０００７】
さらに、本発明にかかるフェンスの連結構造は、少なくとも前記表面板と裏面板のいずれか一方の前記折り曲げ部が形成される側部と反対側の側部には、対向する板側に向かって折り曲げられてなる第２縦片が形成され、該第２縦片は前記縦片の下方に前記横線を挿通可能な間隔を有して配置されることを特徴として構成されている。
【０００８】
さらにまた、本発明にかかるフェンスの連結構造は、前記縦片と第２縦片及び横片は前記表面板と裏面板の両方にそれぞれ設けられることを特徴として構成されている。
【０００９】
そして、本発明にかかるフェンスは、間隔を有して立設された支柱に、縦横に配置した複数の横線と縦線とを格子状に組合せてなるフェンス本体を沿わせ、該フェンス本体を前記いずれかのフェンスの連結構造で連結してなることを特徴として構成されている。
【発明の効果】
【００１０】
本発明にかかるフェンスの連結構造によれば、連結材は表面板と裏面板とが対向し、表面板と裏面板とを折り曲げ自在な折り曲げ部を介して連結してなり、折り曲げ部は表面板と裏面板の一方の側部の上下方向いずれか一方に偏った位置に形成され、少なくとも表面板と裏面板のいずれか一方の折り曲げ部が形成される側部と反対側の側部には、対向する板側に向かって突出してなる縦片が形成され、少なくとも表面板と裏面板のいずれか一方の上部または下部の中央部には、対向する板側に向かって突出してなる横片が形成され、連結材を、連結される両フェンス本体端部の横線と縦線の交差部に配置して、表面板と裏面板とをネジ止めにより固定することにより、一部材からなる連結材によりフェンス本体の縦線と横線の両方を保持することができ、簡易な取付作業でフェンス本体の横ラインを一直線状とし、上下方向のずれや面方向のずれを防止することができる。
【００１１】
また、本発明にかかるフェンスの連結構造によれば、一方のフェンス本体の横線の端部は縦片の下方から表面板と裏面板間の領域に進入するよう配置され、両フェンス本体端部の縦線は、それぞれ横片と折り曲げ部との間及び横片と縦片との間において表面板と裏面板間の領域に進入するよう配置されることにより、連結される両方の縦線を確実に保持しつつ、横線が上下方向及び面方向のいずれにもずれないようにすることができる。
【００１２】
さらに、本発明にかかるフェンスの連結構造によれば、少なくとも表面板と裏面板のいずれか一方の折り曲げ部が形成される側部と反対側の側部には、対向する板側に向かって突出してなる第２縦片が形成され、第２縦片は縦片の下方に横線を挿通可能な間隔を有して配置されることにより、横線を縦片と第２縦片で上下方向いずれにも移動しないよう規制することができるので、フェンス本体の上下方向のずれをより確実に防止することができる。
【００１３】
さらにまた、本発明にかかるフェンスの連結構造によれば、縦片と第２縦片及び横片は表面板と裏面板の両方にそれぞれ設けられることにより、連結材をフェンス本体の反対面側から取付けても縦線及び横線を保持することができるようにすることができ、いずれの側からでも取付作業が可能となるので施工性を向上させることができる。
【発明を実施するための最良の形態】
【００１４】
本発明の実施形態について図面に沿って詳細に説明する。図１には、本実施形態における連結構造を有したフェンスの正面図を示している。この図に示すように、本実施形態のフェンスは、所定間隔毎に立設された支柱２に、フェンス本体１を沿わせ、さらに支柱２間の位置においてフェンス本体１を連結材３を介して連結して横方向に連続状となるように構成されている。フェンス本体１は、縦横に配置した複数の縦線１０と横線１１とを格子状に組合せてなり、上端部と下端部はそれぞれ縦線１０が半円形状に折り曲げられている。連結材３は、連結されるフェンス本体１、１の端部の上端部と下端部及び中間部の３箇所に配置されて、それぞれフェンス本体１、１を連結している。
【００１５】
図２には、フェンス本体１と支柱２の取付部分を表した縦断面図を示している。この図に示すように、フェンス本体１は上下方向中間部において、支柱２にボルト止め固定されている略Ｊ字状の支柱取付金具１５に横線１１が保持されることによって、支柱２に対して固定されている。また、フェンス本体１の上端部には、支柱２の上端部近傍にビス止め固定された上端部仮置金具１６が設けられ、この上端部仮置金具１６に横線１１を仮置きすることができるようにされている。
【００１６】
図３には、フェンス本体１の上下方向中間部における連結構造の拡大図を示している。この図に示すように、フェンス本体１を構成する縦線１０は図中前面側に配置され、横線１１はその後側に配置される。フェンス本体１は、全面に渡って縦線１０が前面側に、横線１１がその後側に配置されるように形成される。連結材３はフェンス本体１の端部における縦線１０と横線１１の交差部に配置され、連結されるフェンス本体１の縦線１０及び横線１１を保持固定する。
【００１７】
連結材３の構成についてより詳細に説明する。図４には連結材３の正面図を、図５には連結材３の背面図を、図６には連結材３の平面図を、それぞれ示している。これら各図に示すように、連結材３は表面板２０と裏面板２１及びこれらを連結する折り曲げ部２２とが一体的に形成されてなるものであり、表面板２０と裏面板２１は互いに対向し、折り曲げ部２２は表面板２０と裏面板２１の一方の側部においてこれらを弾性的に懸架する。
【００１８】
図４に示すように、表面板２０は中央部にネジ孔２０ａを有しており、ネジ孔２０ａを取り囲むように立ち上がり状のリブ２０ｂが形成されている。また、図５に示すように、裏面板２１にも中央部にネジ孔２１ａが形成され、ネジ孔２１ａを取り囲むように立ち上がり状のリブ２１ｂが形成されている。リブ２０ｂ、２１ｂが表面板２０と裏面板２１にそれぞれ形成されていることにより、表面板２０及び裏面板２１の強度を向上させることができる。また、表面板２０に形成されたネジ孔２０ａは、ネジを単に挿通させることができるように形成され、裏面板２１に形成されたネジ孔２１ａは、ネジを螺合させることができるように内面にネジ山が切られている。したがって、ネジを表面板２０側から挿入し、裏面板２１で螺合させることにより、縦線１０や横線１１を保持した状態で表面板２０と裏面板２１を固定することができる。
【００１９】
折り曲げ部２２は、図４及び図５に示すように表面板２０と裏面板２１の一端部のうち、図４における上端部と上下方向中央部とにそれぞれ形成されている。すなわち、折り曲げ部２２は表面板２０及び裏面板２１の側部の上下方向一方に偏って形成されている。したがって、連結材３を縦線１０と横線１１の交差部に配置した際、折り曲げ部２２が形成されていない側において横線１１と折り曲げ部２２とが干渉しないようにすることができる。
【００２０】
図４及び図６に示すように、表面板２０の折り曲げ部２２が形成された側と反対側の端部には、対向する裏面板２１側に向かって縦方向に沿って突出する縦片２３が形成されている。縦片２３は、上下方向において折り曲げ部２２と対向する位置に形成されている。また、図４に示すように、縦片２３の下方には、所定の間隔を有して第２縦片２４が裏面板２１側に向かって突出するように形成されている。縦片２３と第２縦片２４との間隔は、連結材３を縦線１０と横線１１の交差部に取付ける際に、横線１１を挿入可能な幅を有するように設定される。
【００２１】
図５及び図６に示すように、裏面板２１にも折り曲げ部２２が形成された側と反対側の端部に、対向する表面板２０側に向かって縦方向に沿って突出する縦片２３が形成される。さらに、表面板２０と同様に第２縦片２４も形成される。
【００２２】
図６に示すように、表面板２０の上端中央部には、裏面板２１側に向かって横方向に沿って突出する横片２５が形成されている。また、裏面板２１の上端中央部にも、表面板２０側に向かって横方向に沿って突出する横片２５が形成されている。これら横片２５は、折り曲げ部２２との間に空間部分を有するように形成されており、この空間部分に一方のフェンス本体１の縦線１０を保持することができる。また、横片２５と縦片２３との間にも同様の空間部分が形成され、他方のフェンス本体１の縦線１０を保持することができる。
【００２３】
図７には、表面板２０と裏面板２１を開いた状態の平面図を示している。折り曲げ部２２は折り曲げ部分が弾性を有するように形成されており、したがって対向する表面板２０と裏面板２１とが離れるように開くことができる。この際、表面板２０側の縦片２３と裏面板２１側の縦片２３が離隔するため、この開いた側から連結するフェンス本体１の縦線１０が表面板２０と裏面板２１間の領域に配置されるように連結材３を取付ける。
【００２４】
図８には連結材３の左側面図を、図９には連結材３の右側面図を、それぞれ示している。図８に示すように、折り曲げ部２２は連結材３の中央より上部側に偏って配置されるので、折り曲げ部２２の下部には横線１１を表面板２０と裏面板２１の間の領域に進入可能な空間が形成される。また、図９に示すように、縦片２３と第２縦片２４との間には折り曲げ部２２の下方に形成される空間と対向する位置に隙間が形成されており、したがってこの隙間から横線１１を表面板２０と裏面板２１の間の領域に進入させることができる。また、ここから進入した横線１１は、縦片２３及び第２縦片２４によって上下方向に移動を規制される。
【００２５】
図１０には連結材３を縦線１０と横線１１の交差部に取付けた状態の平面図を示している。この図に示すように、連結材３を縦線１０と横線１１の交差部に取付けてネジ２６により表面板２０と裏面板２１とを固定することで、縦線１０は表面板２０側に、横線１１は裏面板２１側に、それぞれ配置される。一方の縦線１０は、表面板２０側の折り曲げ部２２と横片２５との間において表面板２０と裏面板２１との間の領域に配置され、他方の縦線１０は、表面板２０側の縦片２３と横片２５との間において表面板２０と裏面板２１との間の領域に配置される。
【００２６】
図１１には連結材３を縦線１０と横線１１の交差部に取付けた状態の右側面図を示している。この図に示すように、横線１１は縦片２３と第２縦片２４との間から表面板２０と裏面板２１との間の領域に進入するように配置される。また、この図には現れていないが、折り曲げ部２２側の横線１１も、折り曲げ部２２の下方から表面板２０と裏面板２１との間の領域に進入するように配置される。このように各縦線１０と横線１１は表面板２０と裏面板２１とに挟まれることで固定され、両フェンス本体１、１が連結される。また、横線１１は、縦片２３と第２縦片２４によって上下方向の移動が規制されるので、フェンス本体１が上下方向にずれることを防止することができる。さらに、交差する縦線１０と横線１１とが表面板２０と裏面板２１との間の領域に配置され固定されているので、フェンス本体１の面方向へのずれも防止することができる。このため、連結されるフェンス本体１間の特に横線１１を一直線状としてずれないようにすることができる。
【００２７】
連結材３は、前述のようにフェンス本体１の上端部と下端部にも取付けられる。図１２には、フェンス本体１の下端部における連結構造の拡大図を示している。ここでも中間部における連結構造と同様、連結材３によって両方のフェンス本体１の縦線１０及び横線１１が保持されて連結されている。また、図１３には、フェンス本体１の下端部において連結材３を縦線１０と横線１１の交差部に取付けた状態の右側面図を示している。この図に示すように、フェンス本体１の下端部において縦線１０は半円形状に湾曲しており、それに沿って連結材３が取付けられる。連結材３の表面板２０と裏面板２１は、この湾曲した縦線１０及びそれと直交する横線１１を納めることができる間隔を有して対向しており、中間部における連結と同様にフェンス本体１を連結することができる。
【００２８】
図１４には、フェンス本体１の上端部における連結構造の拡大図を示している。ここにおいても連結材３によって両方のフェンス本体１の縦線１０及び横線１１が保持されて連結されている。図１５には、フェンス本体１の上端部において連結材３を縦線１０と横線１１の交差部に取付けた状態の右側面図を示している。この図に示すように、フェンス本体１の上端部においても、縦線１０は半円形状に湾曲しており、それに沿って連結材３が取付けられる。連結材３の表面板２０と裏面板２１は、この湾曲した縦線１０及びそれと直交する横線１１を納めることができる間隔を有して対向しており、中間部における連結と同様にフェンス本体１を連結することができる。
【００２９】
ところで、フェンスの施工場所によっては、連結材３をフェンス本体１の反対面側からネジ止め固定しなければならない場合がある。本実施形態の連結材３には、縦片２３や横片２５が表面板２０と裏面板２１の両方に設けられているため、フェンス本体１の反対面側からも取付けることができる。図１６には、連結材３を反対向きに取付けたフェンス本体１の連結構造の拡大図を示している。この図に示すように、連結材３を反対向きに取付けた場合であっても、両方のフェンス本体１の縦線１０及び横線１１を保持するように連結材３を取付けることができる。
【００３０】
図１７には、連結材３を反対向きに取付けた場合における連結部分の平面図を示している。この図に示すように、縦片２３及び横片２５が表面板２０と裏面板２１の両方に形成されていることにより、連結材３を反対向きに取付けた場合であっても、縦線１０を保持することができる。この場合には、連結材３を縦線１０と横線１１の交差部に取付けてネジ２６により表面板２０と裏面板２１とを固定することで、縦線１０は裏面板２１側に、横線１１は表面板２０側に、それぞれ配置される。一方の縦線１０は、裏面板２１側の折り曲げ部２２と横片２５との間において表面板２０と裏面板２１との間の領域に配置され、他方の縦線１０は、裏面板２１側の縦片２３と横片２５との間において表面板２０と裏面板２１との間の領域に配置される。また、横線１１は、表面板２０側に配置されるので、表面板２０側の縦片２３及び第２縦片２４との間から表面板２０と裏面板２１との間の領域に配置される。
【００３１】
本実施形態では、このように縦片２３と第２縦片２４及び横片２５を表面板２０と裏面板２１の両方に設けたことで、連結材３をフェンス本体１の反対面側からも取付けることができるようにしたが、連結材３を一方側からのみ取付けるのであれば、表面板２０か裏面板２１のいずれか一方に設けることとしてもよい。この場合には、縦線１０を保持するために機能する横片２５は、表面板２０側に設ける必要があり、また横線１１を保持するために機能する縦片２３及び第２縦片２４は、裏面板２１側に設ける必要がある。なお、縦片２３及び第２縦片２４は、縦線１０も保持しているので、裏面板２１側にのみ設ける場合であっても、縦線１０にかかる位置まで表面板２０側に突出させる必要がある。
【００３２】
次に、フェンスを傾斜地に設けた場合について説明する。図１８には、傾斜地に配置されたフェンスの正面図を示している。傾斜地におけるフェンスは、傾斜面において鉛直方向に沿って支柱２が立設され、フェンス本体１は傾斜面に沿うように支柱２間に設けられる。フェンス本体１の縦線１０は、中央部が支柱２と同様に鉛直方向に沿うように配置され、上下端部が傾斜面に対して略垂直となる方向に沿うように屈曲している。また、横線１１は、傾斜面と平行な方向に沿うように設けられる。
【００３３】
傾斜面におけるフェンスの連結構造でも、連結材３を連結される両フェンス本体１、１の上下端部及び中間部の３箇所に設けている。なお、傾斜地に配置されるフェンス本体１と水平地に配置されるフェンス本体は、傾斜金具３０によって互いに連結されている。図１９には、傾斜地における上下方向中間部でのフェンスの連結構造の正面図を示している。この図に示すように、鉛直方向に沿って配置される縦線１０の配置に合わせて連結材３が取付けられる。すなわち、連結材３は縦線１０が上下方向に貫通するように配置されており、横線１１は傾斜面の角度分だけ傾斜して連結材３に保持される。
【００３４】
一方の横線１１は、折り曲げ部２２の下方において斜め下方から表面板２０と裏面板２１との間の領域に進入している。他方の横線１１は、他方の縦線１０が配置される縦片２３と横片２５との間の領域に斜め上方から表面板２０と裏面板２１との間の領域に進入している。このように、連結材３は縦線１０に対して傾斜状に配置された横線１１についても保持することができる。
【００３５】
図２０には、傾斜地における上端部でのフェンスの連結構造の正面図を示している。フェンス本体１の上端部は、前述のように縦線１０は傾斜面と直交する方向に沿うように配置されているので、連結材３はその配置に合わせて縦線１０が上下方向に貫通するように配置されている。また、横線１１は縦線１０と直交するように設けられているから、ここでの連結構造は、図３に示した場合と同様となる。
【００３６】
このように連結材３は、同一部品で水平地に設置されるフェンス及び傾斜地に設置されるフェンスのいずれにおいても、上下端部及び中間部においてフェンス本体１を連結することができるように構成されており、また一体的な部品を縦線１０と横線１１の交差部に取付けて連結することができるので、簡易な取付作業によりフェンス本体１の横ラインを一直線状にし、上下方向のずれや面方向のずれも確実に防止することができる。
【００３７】
以上、本発明の実施形態について説明したが、本発明の適用は本実施形態には限られず、その技術的思想の範囲内において様々に適用されうるものである。
【図面の簡単な説明】
【００３８】
【図１】本実施形態における連結構造を有したフェンスの正面図である。
【図２】フェンス本体と支柱の取付部分を示す縦断面図である。
【図３】フェンス本体の上下方向中間部における連結構造の拡大図である。
【図４】連結材の正面図である。
【図５】連結材の背面図である。
【図６】連結材の平面図である。
【図７】表面板と裏面板を開いた状態の平面図である。
【図８】連結材の左側面図である。
【図９】連結材の右側面図である。
【図１０】連結材を縦線と横線の交差部に取付けた状態の平面図である。
【図１１】連結材を縦線と横線の交差部に取付けた状態の右側面図である。
【図１２】フェンス本体の下端部における連結構造の拡大図である。
【図１３】フェンス本体の下端部において連結材を縦線と横線の交差部に取付けた状態の右側面図である。
【図１４】フェンス本体の上端部における連結構造の拡大図である。
【図１５】フェンス本体の上端部において連結材を縦線と横線の交差部に取付けた状態の右側面図である。
【図１６】連結材を反対向きに取付けたフェンス本体の連結構造の拡大図である。
【図１７】連結材を反対向きに取付けた場合における連結部分の平面図である。
【図１８】傾斜地に配置されたフェンスの正面図である。
【図１９】傾斜地における上下方向中間部でのフェンスの連結構造の正面図である。
【図２０】傾斜地における上端部でのフェンスの連結構造の正面図である。
【符号の説明】
【００３９】
１    フェンス本体
２    支柱
３    連結材
１０    縦線
１１    横線
２０    表面板
２０ａ  ネジ孔
２０ｂ  リブ
２１    裏面板
２１ａ  ネジ孔
２１ｂ  リブ
２２    折り曲げ部
２３    縦片
２４    第２縦片
２５    横片
２６    ネジ
【図１】
0004996389.tif 000002
【図２】
0004996389.tif 000003
【図３】
0004996389.tif 000004
【図４】
0004996389.tif 000005
【図５】
0004996389.tif 000006
【図６】
0004996389.tif 000007
【図７】
0004996389.tif 000008
【図８】
0004996389.tif 000009
【図９】
0004996389.tif 000010
【図１０】
0004996389.tif 000011
【図１１】
0004996389.tif 000012
【図１２】
0004996389.tif 000013
【図１３】
0004996389.tif 000014
【図１４】
0004996389.tif 000015
【図１５】
0004996389.tif 000016
【図１６】
0004996389.tif 000017
【図１７】
0004996389.tif 000018
【図１８】
0004996389.tif 000019
【図１９】
0004996389.tif 000020
【図２０】
0004996389.tif 000021